(57)【要約】【解決手段】隣接する部屋間の出入り口に設けられた水密扉が閉塞状態において、部屋内で浸水があった場合に、部屋内の浸水状態を検知する浸水センサと、緊急地震速報を受信する受信手段と、浸水センサの検知信号、および、緊急地震速報の受信信号に基づいて、前記閉塞状態を維持する施錠装置と、浸水センサの検知信号、および、緊急地震速報の受信信号の少なくともいずれか一方に基づいて、部屋内が浸水されていることを表示する表示手段とを備える。【選択図】図１
2014173381.tif 000002
【特許請求の範囲】
【請求項１】
隣接する部屋間の出入り口に設けられた水密扉が閉塞状態において、部屋内で浸水があった場合に、部屋内の浸水状態を検知する浸水センサと、該浸水センサの検知信号に基づいて、前記閉塞状態を維持する施錠装置とを備えたことを特徴とする災害時閉塞ロック機能付き水密扉装置。
【請求項２】
前記浸水センサの検知信号に基づいて、部屋内が浸水されていることを表示する表示手段を外部から視認できる位置に設けたことを特徴とする請求項１に記載の災害時閉塞ロック機能付き水密扉装置。
【請求項３】
地震動を計測する地震計および緊急地震速報を受信する受信手段の少なくともいずれか一方を備え、前記施錠装置は、前記浸水センサの検知信号に加えて、緊急地震速報の受信信号に基づいても作動することを特徴とする請求項１または２に記載の災害時閉塞ロック機能付き水密扉装置。
【請求項４】
構築される複数の建屋の出入り口のうち、通路を挟んで構築される原子炉建屋の出入り口およびタービン建屋の出入り口の少なくともいずれか一方に、前記請求項１乃至３のいずれか１項に記載の災害時閉塞ロック機能付き水密扉装置を備えたことを特徴とする発電プラント。
【発明の詳細な説明】
【技術分野】
【０００１】
本発明は、隣接する部屋の出入り口などに設置される災害時閉塞ロック機能付き水密扉装置、および、これを備えた発電プラントに関する。
【背景技術】
【０００２】
例えば、原子力発電施設においては、原子炉建屋、タービン建屋、制御建屋、廃棄物処理建屋、復水処理建屋、補助ボイラ建屋など数多くの建屋が相互に隣接するように構築されている。原子炉建屋は、原子炉圧力容器が設置されている。タービン建屋は、タービン及び復水器が設置されている。制御建屋は、中央制御室が設置されている。
【０００３】
そして、各建屋の出入り口には、地震時等において各建屋の部屋内に配置されている機器が外部からの浸水被害に遭わないように、水密扉が設けられている。なお、この水密扉は、通常時は閉塞されている。
【０００４】
また、地震時等において建屋間相互に干渉作用が働かないように、隣接する建屋間にはある程度の間隙部が形成されている。この間隙部には、隣接する各建屋間を連絡する通路が設けられている。そして、原子炉建屋の水密扉は、通路側に向かって開閉できるように構成され、タービン建屋の水密扉は、部屋内側に向かって開閉できるように構成されている。
【０００５】
従来のこの種の水密扉として、例えば、特許文献１において、津波対策として、タービン建屋の出入り口に設置されていることが記載されている。
【先行技術文献】
【特許文献】
【０００６】
【特許文献１】特開２０１２−１４１３２４号公報
【発明の概要】
【発明が解決しようとする課題】
【０００７】
しかしながら、原子炉建屋の部屋内やタービン建屋の部屋内は、上述したように、水密扉によって常時閉塞されているので、原子炉建屋の部屋内やタービン建屋の部屋内が浸水状態であるか否かは、把握できないのが現状である。
【０００８】
また、地震などの災害時に、原子炉建屋の部屋内やタービン建屋の部屋内が浸水されている場合、部屋内の浸水状態が把握できないまま、水密扉を開放してしまうと、水密扉が通路側に向かって開放されるように構成されているので、部屋内の水が、他の建屋の部屋内に流入して、他の建屋の部屋内に設置されている機器が被水してしまうという問題がある。
【０００９】
そこで、本発明は、前記問題を鑑み、部屋内の浸水状態を把握できるとともに、浸水状態を検知した際、水密扉の閉塞状態を維持できる、災害時閉塞ロック機能付き水密扉装置、および、これを備えた発電プラントを提供することを課題とする。
【課題を解決するための手段】
【００１０】
本発明に係る災害時閉塞ロック機能付き水密扉装置は、隣接する部屋間の出入り口に設けられた水密扉が閉塞状態において、部屋内で浸水があった場合に、部屋内の浸水状態を検知する浸水センサと、該浸水センサの検知信号に基づいて、前記閉塞状態を維持する施錠装置とを備えたことを特徴とする。
【００１１】
かかる構成によれば、部屋内の浸水状態が浸水センサによって検知された場合、浸水センサの検知信号に基づいて、施錠装置によって水密扉の閉塞状態が維持されるので、浸水されている部屋内の水が、他の部屋内へ流入することが防止される。
【００１２】
本発明の一態様として、前記浸水センサの検知信号に基づいて、部屋内が浸水されていることを表示する表示手段を外部から視認できる位置に設けるような構成を採用することもできる。
【００１３】
この場合、表示手段によって、部屋内が浸水されている状態を外部から視認できる位置に表示されるので、部屋内が浸水されている状態の水密扉を誤って開放することがなくなる。
【００１４】
また、本発明の他態様として、地震動を計測する地震計および緊急地震速報を受信する受信手段の少なくともいずれか一方を備え、前記施錠装置は、前記浸水センサの検知信号に加えて、地震計の検知信号および緊急地震速報の受信信号の少なくともいずれか一方に基づいても作動するような構成を採用することもできる。
【００１５】
この場合、地震計の検知信号および緊急地震速報の少なくともいずれか一方を受信することで、地震に対して早急に避難することができる。また、浸水センサの検知信号に加えて、地震動を計測する地震計および緊急地震速報を受信する受信手段の少なくともいずれか一方に基づいて、施錠装置が作動して、水密扉の閉塞状態が維持されるので、地震によって発生した浸水被害の拡大を抑えることができる。
【００１６】
また、本発明に係る災害時閉塞ロック機能付き水密扉装置を備えた発電プラントは、構築される複数の建屋の出入り口のうち、通路を挟んで構築される原子炉建屋の出入り口およびタービン建屋の出入り口の少なくともいずれか一方に、前記災害時閉塞ロック機能付き水密扉が設置されることを特徴とする。
【００１７】
かかる構成によれば、複数の建屋の出入り口のうち、通路を挟んで構築される原子炉建屋の出入り口およびタービン建屋の出入り口の少なくともいずれか一方に、災害時閉塞ロック機能付き水密扉が設置されるので、災害時などにおいて、建屋の部屋内が浸水されたとしても、該建屋の部屋内の水が他の建屋の部屋内へ流入することがなくなり、他の建屋の部屋内に配置されている機器への被水を防止できる。
【発明の効果】
【００１８】
本発明によれば、部屋内の浸水状態を把握できるとともに、浸水状態を検知した際、水密扉の閉塞状態を維持できる。
【図面の簡単な説明】
【００１９】
【図１】本発明の一実施形態に係る発電プラントの概略構成を示す図。
【図２】（ａ）は、同実施形態に係る、災害時閉塞ロック機能付き水密扉装置の外扉を示す正面図、（ｂ）は、同実施形態に係る、災害時閉塞ロック機能付き水密扉装置の内扉を示す正面図。
【図３】同実施形態に係る、災害時閉塞ロック機能付き水密扉装置のブロック回路構成を示す図。
【発明を実施するための形態】
【００２０】
本発明に係る災害時閉塞ロック機能付き水密扉装置の一実施形態について、図１〜図３を参照して説明する。なお、本実施形態においては、複数の建屋が構築された発電プラントを例にとって説明する。
【００２１】
まず、発電プラントンの構成について図１を参照して簡単に説明する。発電プラント１は、図１に示すように、取水などを考慮して、海Ｓに面して建設されている。そして、発電プラント１は、複数の建屋として、原子炉建屋、タービン建屋、制御建屋、廃棄物処理建屋、復水処理建屋、補助ボイラ建屋などを備えている。図１には、これら建屋のうちの、相互に隣接する原子炉建屋１０とタービン建屋１１とが図示されている。なお、本実施形態においては、隣接する建屋１０，１１の内部間を、隣接する部屋１０ａ，１１ａ間とする。原子炉建屋１０は、原子炉圧力容器が設置されている（図示せず）。タービン建屋１１は、タービン及び復水器が設置されている（図示せず）。また、図示していないが、制御建屋は、中央制御室が設置されている。
【００２２】
そして、各建屋１０，１１の出入り口（水密隔壁の開口部）Ａ，Ｂには、災害時閉塞ロック機能付き水密扉装置２（以下、単に水密扉装置２という場合がある。）が設けられている。この水密扉装置２は、通常、隣接する各建屋の出入り口Ａ，Ｂを閉塞している水密扉２０を備えている。この水密扉２０は、地震時等において各建屋１０，１１の部屋内に配置されている機器が外部からの浸水被害に遭わないようにしている。
【００２３】
また、地震時等において建屋間相互に干渉作用が働かないように、隣接する建屋１０，１１間にはある程度の間隙部が形成されている。この間隙部には、隣接する各建屋１０，１１間を連絡する通路１２が設けられている。そして、原子炉建屋１０の水密扉２は、通路１２側に向かって開閉できるように構成され、タービン建屋１１の水密扉２は、部屋内１１ａ側に向かって開閉できるように構成されている。
【００２４】
本実施形態に係る災害時閉塞ロック機能付き水密扉２につき、原子炉建屋１０に設置される水密扉２について説明する。該水密扉２は、図２（ａ），（ｂ）に示すように、浸水が発生した場合、水圧がかかっても、外部に水が漏れないように、外扉３と内扉４の二重構造になっている。
【００２５】
外扉３は、扉本体３０と、開閉用手動ハンドル３１と、表示手段３２と、音声発生器３３と、施錠装置３４とを備えている。そして、図２（ａ）では図示していないが、外扉３は、図３に示す緊急地震速報を受信する受信手段３５と、制御装置３６とをさらに備えている。この制御装置３６は、制御建屋の中央制御室に設置される図３に示す集合盤５に制御される。なお、受信手段３５の代わりに、地震動を計測する地震計を備えるようにしてもよく、両方備えるようにしてもよい。
【００２６】
開閉用手動ハンドル３１は、扉本体３０の略中央部に設けられている。頑丈な作りの水密扉２０を手動で締め付けて、原子炉建屋１０の出入り口Ａの開口周縁部に装着された図示しないガスケットに、扉本体３０の上下左右の側縁部を圧接することで、水密を保持できるように構成されている。
【００２７】
表示手段３２は、外部から視認できる扉本体３０の上部に配置され、部屋内１０ａが浸水状態であることを、ドット状に配列された発光ダイオードで文字表示できるように構成されている（図示せず）。そして、表示手段３２は、後述する浸水センサ４１によって、部屋内１０ａに浸水が検知された場合に、例えば、「水密扉２０の内部に浸水があります。」という内容を文字表示したり、後述する受信手段３５によって、緊急地震速報が受信された場合に、例えば、「地震を検知しました。水密扉２０を閉めて避難してください。」という内容を文字表示したりできるように構成されている。
【００２８】
音声発生器３３は、扉本体３０の左側上部に内設されている。そして、音声発生器３３は、後述する浸水センサ４１によって、部屋内１０ａに浸水が検知された場合に、例えば、「水密扉２０の内部に浸水があります。」という内容を音声ガイドしたり、後述する受信手段３５によって、緊急地震速報が受信された場合に、例えば、「地震を検知しました。水密扉２０を閉めて避難してください。」という内容を音声ガイドしたりできるように構成されている。
【００２９】
施錠装置３４は、扉本体３０の右方に配置されている。そして、施錠装置３４は、後述する浸水センサ４１によって、部屋内１０ａに浸水が検知された場合、および、後述する受信手段３５によって、緊急地震速報が受信された場合、水密扉２０を施錠して閉塞状態にロックするように構成されている。
【００３０】
受信手段３５は、気象庁が発表している地震情報としての緊急地震速報を受信する。
【００３１】
地震計としては、地震動、すなわち、水平動および上下動の地動を計測するとともに、地動の速度や加速度も計測できるように構成されている。
【００３２】
制御装置３６は、後述する浸水センサ４１の検知信号、後述するリミットスイッチ４２の検知信号、受信手段３５の受信信号や地震計に基づいて、表示手段３２および音声発生器３３を制御する警告制御部３６ａと、浸水センサ４１の検知信号、リミットスイッチ４２の検知信号、受信手段３５の受信信号や地震計に基づいて、施錠装置３４を制御する電子ロック制御部３６ｂを備えている。
【００３３】
内扉４は、扉本体４０と、浸水センサ４１と、リミットスイッチ４２とを備えている。
【００３４】
浸水センサ４１は、扉本体４０の左側下部に取り付けられている。そして、浸水センサ４１は、水密扉２０が閉塞状態において、原子炉建屋１０の部屋内１０ａで浸水があった場合に、部屋内１０ａの浸水状態を検知する。
【００３５】
リミットスイッチ４２は、扉本体４０の右側上部に取り付けられている。そして、リミットスイッチ４２は、水密扉２０の閉められた際に、水密扉２０によって、図示しないリミットスイッチ４２のスイッチ片が押圧されてオン状態となり、水密扉２０の閉塞状態を検知する。
【００３６】
つぎに使用態様について説明する。通常時、水密扉２０は閉塞状態にあり、表示手段３２には、何も情報は表示されておらず、音声発生器３３にも音声ガイドは出ていない。
【００３７】
つぎに、例えば、地震などの緊急時、緊急地震速報が受信手段３５により受信されると、受信手段３５の受信信号と、水密扉装置２の内扉４のリミットスイッチ４２の検知信号とに基づいて、水密扉装置２の外扉３の表示手段３２に警告メッセージを表示する。例えば、水密扉２０が開状態であれば、「地震を検知しました。水密扉２０を閉めて避難してください。」というメッセージを表示するとともに、音声発生器３３により、「地震を検知しました。水密扉２０を閉めて避難してください。」という音声ガイドをながす。
【００３８】
また、地震などによって、建屋１０の配管が破損して、部屋名１０ａに溢水が生じて浸水が発生すると、浸水センサ４１の検知信号に基づいて、水密扉装置２の外扉３の表示手段３２に、「水密扉２０の内部に浸水があります。」というメッセージを表示するとともに、音声発生器３３により、「水密扉２０の内部に浸水があります。」という音声ガイドをながす。
【００３９】
このように、本実施形態に係る水密扉によれば、建屋１０における部屋内１０ａの浸水状態が浸水センサ４１によって検知された場合、浸水センサ４１の検知信号に基づいて、施錠装置３４が作動し、水密扉２の閉塞状態を維持できるので、浸水されている部屋内１０ａの水が、他の建屋１１の部屋内１１ａへ流入することを防止することができる。
【００４０】
なお、本発明に係る災害時閉塞ロック機能付き水密扉装置は、前記実施の形態に限定することなく種々変更することができる。
【００４１】
例えば、前記実施形態の場合、建屋の出入り口に設置される複数の水密扉のうち、原子炉建屋１０の出入り口Ａと、タービン建屋１１の出入り口Ｂとに設けるようにしたが、全ての建屋の出入り口に、災害時閉塞ロック機能付き水密扉装置２を設けるようにしてもよい。この場合、全ての建屋の出入り口の水密扉２０を閉塞状態にできるので、特に、津波に対して有効である。
【００４２】
また、前記実施形態の場合、浸水センサ４１を内扉４に取り付けるようにしたが、部屋内１０ａの壁面や床面であってもよい。
【００４３】
また、前記実施形態の場合、リミットスイッチ４２を、内扉４の右側上部に配置したが、これに限定されるものではなく、水密扉２０の閉状態を検知できる位置であればどこでもよい。
【００４４】
また、前記実施形態の場合、発電プラント１に設置される水密扉２０を例にとって説明したが、船舶や水路の開閉ゲートに設置される水密扉、隣接する施設の隔壁に設けられる水密扉にも適用することができる。
【符号の説明】
【００４５】
１…発電プラント、２…水密扉装置、３…外扉、４…内扉、５…集合盤、１０…原子炉建屋、１０ａ，１１ａ…部屋内、１１…タービン建屋、１２…通路、３０，４０…扉本体、３１…開閉用手動ハンドル、３２…表示手段、３３…音声発生器、３４…施錠装置、３５…受信手段、３６…制御装置、３６ａ…警告制御部、３６ｂ…電子ロック制御部、４１…浸水センサ、４２…リミットスイッチ
【図１】
2014173381.tif 000003
【図２】
2014173381.tif 000004
【図３】
2014173381.tif 000005